(57)【要約】  化粧料Ｌを収容する容器本体２と、前記容器本体２の上部にある口部と嵌合し、前記化粧料を吐出するディスペンサー３と、前記化粧料が吐出される塗布回転体６と、を有し、前記塗布回転体６が使用者の肌上で回転することで、前記塗布回転体６の表面に吐出された化粧料が使用者の肌に塗布される、化粧料塗布装置１。
2019230529.tif 000002
【特許請求の範囲】
【請求項１】
化粧料を収容する容器本体と、
前記容器本体の上部にある口部と嵌合し、前記化粧料を吐出するディスペンサーと、
前記化粧料が吐出される塗布回転体と、を有し、
前記塗布回転体が使用者の肌上で回転することで、前記塗布回転体の表面に吐出された化粧料が使用者の肌に塗布される、
化粧料塗布装置。
【請求項２】
前記ディスペンサーは、前記化粧料を霧状にして噴射して吐出する、
請求項１に記載の化粧料塗布装置。
【請求項３】
前記塗布回転体を前記ディスペンサーから離間して支持するジョイント部を有しており、
前記ディスペンサーには、前記化粧料を吐出する吐出孔が形成されたノズル部と、前記ジョイント部と連結する押圧用鍔部と、が設けられている、
請求項１に記載の化粧料塗布装置。
【請求項４】
前記ディスペンサーにおいて、前記吐出孔は前記ノズル部の上部の先端部に形成され、
前記ジョイント部は、前記塗布回転体を前記吐出孔の上方に支持し、
使用者が前記塗布回転体又は前記ジョイント部を押し込むことで、前記押圧用鍔部が下方方向に作動し、前記ディスペンサーが前記化粧料を吐出する、
請求項３に記載の化粧料塗布装置。
【請求項５】
前記ディスペンサーにおいて、前記吐出孔は前記ノズル部の上部の側端部に形成され、
前記ジョイント部は、前記塗布回転体を前記ノズル部の側方に支持し、
使用者が前記ジョイント部の上端部を押しこむことで、前記押圧用鍔部が下方方向に作動し、前記ディスペンサーが前記化粧料を吐出する、
請求項３に記載の化粧料塗布装置。
【請求項６】
前記ジョイント部は、前記塗布回転体の位置を、前記ディスペンサーの上方と、側方との間で移動可能なように支持する、
請求項４に記載の化粧料塗布装置。
【請求項７】
前記塗布回転体は、該塗布回転体を構成する円筒の軸方向が、前記ディスペンサーの吐出孔から吐出される前記化粧料の吐出方向と略直角方向となるように配置され、前記円筒の円周表面が多孔質弾性体、繊維の集合体、又はフロッキー加工物で構成される、円筒状のローラである、
請求項１に記載の化粧料塗布装置。
【請求項８】
前記塗布回転体は、該塗布回転体を構成する円筒の軸方向が、前記ディスペンサーの吐出孔から吐出される前記化粧料の吐出方向と略直角方向となるように配置され、前記円筒の円周表面に凹凸を有する硬質の円筒状の塗布ローラである、
請求項１に記載の化粧料塗布装置。
【請求項９】
前記塗布回転体は、該塗布回転体を構成する円筒の軸方向が、前記ディスペンサーの吐出孔から吐出される前記化粧料の吐出方向と略直角方向となるように配置され、前記円筒の円周表面に複数のパフが設けられている、
請求項１に記載の化粧料塗布装置。
【請求項１０】
前記塗布回転体は、球体である、
請求項１に記載の化粧料塗布装置。
【請求項１１】
前記化粧料は、低せん断領域での複素粘度が10000mPa・s以上であり、高せん断領域での損失正接が１以上である、
請求項１に記載の化粧料塗布装置。
【請求項１２】
化粧料塗布装置の使用方法であって、
前記化粧料塗布装置は、化粧料を収容する容器本体と、前記容器本体の上部にある口部と嵌合し、前記化粧料を吐出するディスペンサーと、前記化粧料が吐出される塗布回転体と、を有しており、
使用者の動作が前記ディスペンサーに伝達されることによって、前記塗布回転体に化粧料を吐出するステップと、
前記塗布回転体が使用者の肌上で回転することで、前記塗布回転体の表面に吐出された化粧料が使用者の肌に塗布されるステップとを有する、
化粧料塗布装置の使用方法。
【発明の詳細な説明】
【技術分野】
【０００１】
本発明は、化粧料を吐出して使用者の肌に塗布することができる化粧料塗布装置および該化粧料塗布装置の使用方法に関する。
【背景技術】
【０００２】
化粧水や、乳液、美容クリームなどの化粧料や薬剤等を塗布する際、一般的に、ビン、プラスチック容器、チューブ、缶などのパッケージに収容された化粧料を手の平に出して両手にひろげてから該当部分の肌に延ばしたり、マッサージ所望箇所にその化粧料を付着させて、その後、手によって化粧料を広げていく。そのため、化粧料を塗布する際に、手に化粧料が付着し、手の洗浄が必要になることがあった。【０００３】
また、ローラマッサージ具を用いる際に美容液を併用する使用方法も考えられるが、
（１）容器から美容液を取り出して手に取り、
（２）美容液を塗布し、
（３）ローラを適用する、３段階の行為となり面倒である。
この使用方法では、美容液の付いた手で美容用具を持つとべたついたり汚れたりする欠点があった。【０００４】
そこで、引用文献１では、手を汚さずに、液体やクリームを唇に塗布する装置として、回転体を液体に予め含浸させておき、塗布することが開示されている。【０００５】
また、引用文献２では、粘性の高い液体をローラに付着させてから転写する構成が開示されている。
【先行技術文献】
【特許文献】
【０００６】
【特許文献１】特許５７００７３７号公報
【特許文献２】特許５８４１２５４号公報
【発明の概要】
【発明が解決しようとする課題】
【０００７】
しかしながら、特許文献１の構成では、唇に塗布することを目的としており、塗布範囲が狭かった。また、装置内において、回転体と液体とが常に接触しているため、着脱可能な蓋を閉め忘れると、液体含浸用の回転体を介して、内部の液体が揮発してしまうおそれがあった。【０００８】
また、特許文献２の構成では、液体がローラに均一に広げられてから塗布されるため、部分的に液体を多く塗布したい場合に何度も塗布する必要があった。また、液体をボトルからローラ表面上に塗布するため、使用できる液体は、ローラに転写する際に流れ落ちないように液体の粘度を高くする必要がある、という制限があった。また、この構成では、液体をローラ表面に広げ伸ばしてから塗布するため、ローラが２つになり装置が大きくなる可能性があった。【０００９】
そこで、本発明は上記事情に鑑み、使用者が、手を汚さずに、所望の部位に広範囲に化粧料を塗布することができる化粧料塗布装置の提供を目的とする。
【課題を解決するための手段】
【００１０】
上記課題を解決するため、本発明の一態様では、
化粧料を収容する容器本体と、
前記容器本体の上部にある口部と嵌合し、前記化粧料を吐出するディスペンサーと、
前記化粧料が吐出される塗布回転体と、を有し、
前記塗布回転体が使用者の肌上で回転することで、前記塗布回転体の表面に吐出された化粧料が使用者の肌に塗布される、
化粧料塗布装置、を提供する。
【発明の効果】
【００１１】
一態様によれば、化粧料塗布装置において、使用者が、手を汚さずに、所望の部位に化粧料を広範囲に塗布することができる。
【図面の簡単な説明】
【００１２】
【図１】本発明の第１実施形態に係る化粧料塗布装置の外観図である。
【図２】図１の化粧料塗布装置の待機時の断面図である。
【図３】図１の化粧料塗布装置の使用時の断面図である。
【図４Ａ】化粧料塗布装置に含まれるディスペンサーの通常時の断面図である。
【図４Ｂ】化粧料塗布装置に含まれるディスペンサーの押し込み時の断面図である。
【図５】第１実施形態の化粧料塗布装置を使用者が使用している状態を示す図である。
【図６】第１実施形態の化粧料塗布装置を使用者が使用中に噴霧している状態を示す図である。
【図７】第１実施形態の化粧料塗布装置のボトル部を交換する際の断面図である。
【図８Ａ】第１実施形態の化粧料塗布装置の塗布ローラ及び第２のジョイントの第１の変形例の断面図である。
【図８Ｂ】図８Ａの矢印方向から見た矢視図である。
【図９Ａ】第１実施形態の化粧料塗布装置の塗布ローラ及び第２のジョイントの第２の変形例の断面図である。
【図９Ｂ】図９Ａの矢印方向から見た矢視図である。
【図１０Ａ】第１実施形態の化粧料塗布装置の塗布ローラ及び第２のジョイントの第３の変形例の断面図である。
【図１０Ｂ】図１０Ａの矢印方向から見た矢視図である。
【図１１】本発明の第２実施形態に係る化粧料塗布装置の外観図である。
【図１２】第２実施形態の化粧料塗布装置の変形例の使用時の断面図である。
【発明を実施するための形態】
【００１３】
以下、図面を参照して本発明を実施するための形態について説明する。各図面において、同一構成部分には同一符号を付し、重複した説明を省略する場合がある。
【００１４】
本発明の下記の実施形態に係る美容用の化粧料塗布装置は、例えば、化粧水、乳液、マッサージ用液体、液体ファンデーション等の化粧料の塗布用や、あるいは、マッサージ用途に使用される美容機器（美容ローラ、ローラ付き吐出容器）である。
【００１５】
＜第１実施形態＞
図１は、本発明の第１実施形態に係る化粧料塗布装置１の外観図である。図２は、図１の化粧料塗布装置１の非使用時（待機時）の部分断面図である。図３は、図１の化粧料塗布装置の使用時の断面図である。
【００１６】
図１〜図３を参照して化粧料塗布装置１の全体構造について説明する。
【００１７】
化粧料塗布装置１は、本体部１０と、蓋部１１を有する。本体部１０は、ボトル部２（図３参照）と、ディスペンサー３と、第１のジョイント４と、第２のジョイント５と、塗布ローラ６と、係合止め具７と、把持部８と、を備える。
【００１８】
ボトル部２は、液体（化粧料）である内容物Ｌを収容しておく有底の容器本体である。ボトル部２の上部に小径の口部２１が設けられている。そして、口部２１の周りには、雄ネジ２２が設けられている。
【００１９】
ディスペンサー３は、上部を押すことにより、内容物を霧状に噴霧する霧状噴射型のノズルを有するスプレー部材（ミストスプレー）である。このディスペンサー３は、一回の押しこみ動作により定量の霧が噴射する。本発明の実施形態において、ディスペンサー３と、ボトル部２が、噴射装置（吐出装置）として機能する。
【００２０】
なお、本発明の実施形態において、化粧料を霧状にして塗布ローラに噴霧（噴射する）例を示すが、噴射される液体は、霧状ではなく滴状であってもよい。さらに、塗布ローラに付与される液体は、吐出された泡状であってもよい。「化粧料を吐出する」は、塗布ローラと非接触な吐出孔から、化粧料を霧状又は滴状に噴射すること、及び泡状に吐出することを含むとする。
【００２１】
ディスペンサー３は、下部がボトル部２の口部２１に外嵌されており、上端には内容物を霧状に吐出する（噴射する）吐出孔（噴射孔、噴霧孔）Ｏが設けられている。
【００２２】
より詳しくは、ディスペンサー３は、ノズル部３１と、押圧用鍔部３２と、ノズル側環状体３３と、ベースキャップ３４と、ボトル係合用雌ネジ部３５と、シリンダー３６と、吸引棒３７と、を備える。
【００２３】
詳細は、図４とともに後述するが、ディスペンサー３のうち、ノズル部３１と、押圧用鍔部３２と、ノズル側環状体３３は押し込み移動部３８として機能し、ベースキャップ３４と、ボトル係合用雌ネジ部３５と、シリンダー３６と、吸引棒３７は、固定部３９として機能する。なお、固定部３９のうち、下部のシリンダー３６と吸引棒３７を除いたベースキャップ３４と、ボトル係合用雌ネジ部３５を取り囲む部分は取付けキャップとして機能する。
【００２４】
本実施形態のディスペンサー３において、押し込み移動部３８は、押圧用鍔部３２が使用者によって下方に押されることで、下方移動自在に配設される。固定部３９は、押し込み移動部３８が下方に移動することで、ボトル部２に収容された内容物Ｌを所定量吸い込んでノズル部３１へ送る。なお、不図示のバネによって、押し込み移動部３８は押し込み後、元の位置に戻る。
【００２５】
ノズル部３１は、送られた液体を霧状に変換して、吐出孔Ｏから噴出する、噴霧部として機能する。ノズル部３１の先端頂部（上端、先端部）には、内容物を外界へ霧状に吐出（噴出）させる吐出孔Ｏが設けられている。
【００２６】
押圧用鍔部３２は、ノズル部３１の下側であって、押し込み移動部３８の外壁の一部から側方に突出するように設けられた押圧操作用の鍔部である。本構成では押圧用鍔部３２は、第１のジョイント４に嵌合されている。
【００２７】
ノズル側環状体３３は、押圧用鍔部３２の下側の部分である。ノズル側環状体３３は、押圧用鍔部３２が押圧されると、ベースキャップ３４の内側に入り込む、環状の内側壁部として機能する。
【００２８】
本実施形態では、押圧用鍔部３２には、使用者の指が直接接触するのではなく、第１のジョイント４が上から嵌めこまれている。この構成により、塗布ローラ６を押下することにより、ジョイント部４，５を介して、ディスペンサー３に押圧力が伝達され、ディスペンサー３から霧状の内容物が噴出される。ディスペンサー３の内部構造については、図４とともに詳述する。
【００２９】
ベースキャップ３４の中央部のポンプ部ＰＰ（図４Ａ参照）の下には、シリンダー３６が設けられている。吸引棒３７は、シリンダー３６の下部分の内側に嵌められ、ボトル部２内に収容された内容物Ｌを、吸い込む。
【００３０】
また、ベースキャップ３４の壁部である外側壁部の下には、ボトル係合用雌ネジ部３５が設けられている。ボトル係合用雌ネジ部３５は、ボトル部２の雄ネジ２２と係合することで、ディスペンサー３がボトル部２の口部２１に取り付けられる。
【００３１】
第１のジョイント４は、ディスペンサー３の押圧用鍔部３２に外嵌されている押圧部４１と、雌ネジ部４２を備える。押圧部４１が押圧用鍔部３２を下側に移動させるように、第１のジョイント４は、ディスペンサー３の上方から嵌めこまれている。
【００３２】
第２のジョイント５は、第１のジョイント４に嵌合されており、塗布ローラ６の下面が吐出孔Ｏから離間するように、塗布ローラ６を側方から保持する。詳しくは、第２のジョイント５は、雄ネジ部５１と、延伸部５２と、ローラ保持部５３とを有している。雄ネジ部５１は、第１のジョイント４の雌ネジ部４２と嵌合する。ローラ保持部５３は、塗布ローラ６の筒の中心の空洞の両端部を軸受として支持する。延伸部５２は、雄ネジ部５１から延伸され、ローラ保持部５３の端部と連結されている。
【００３３】
また、第２のジョイント５は、強度を上げるために、補強部である梁部５４が設けられていてもよい。梁部５４は、２本の延伸部５２を連結する。梁部５４には、吐出孔から吐出される霧状の液体の通過を妨害しないように、貫通孔５５が形成されている。
【００３４】
本実施形態では、塗布ローラ６は両端部のみローラ保持部５３によって支持されて、軸方向の中央部には支持されずに、塗布ローラ６は中空の弾性体（スポンジ等）によって構成されている。そのため、顔や首や関節等の肌の凹凸に合わせて、塗布ローラ６の中央付近が変形することができる。そのため、肌に負担を掛けずに、よりソフトに液体の塗布及びマッサージを行うことができる。
【００３５】
本例では、延伸部５２の先端が、軸部を支持する２本になるように構成し、梁部５４によって補強する例を示しているが、延伸部５２は、塗布ローラ６の下部を取り囲むように構成してもよい。
【００３６】
塗布ローラ６を押下することにより、ジョイント部４，５を介して、ディスペンサー３に押圧力が伝達され、ディスペンサー３から霧状の内容物が噴出される。ボトル部２内に収容される内容物Ｌは、ディスペンサー３内部において、圧力を加えることで霧状になる液体であって、静置粘度が高く、シェアにより粘度低下を起こすものが良い。
【００３７】
本発明において、液体として収容される内容物は、例えば増粘剤として、ジェランガム、キサンタンガム、結晶セルロース、等を含むものであるが、上記条件を満たすものならば増粘剤の種類はこれに限られない。
【００３８】
特に、液体として収容される内容物Ｌ、例えば、化粧料は、低せん断領域での複素粘度が１００００ｍＰａ・ｓ以上であり、高せん断領域での損失正接が１以上であると好適である。ここで言う低せん断領域とはストレス制御式レオメーターにてオシレーション測定する際、ひずみ１％以下および、角周波数１ｒａｄ／ｓ以下を指し、高せん断領域とは角周波数１００ｒａｄ／ｓにおいてひずみが５０％以上である領域を指す。
【００３９】
また、塗布ローラ６の下側表面には、離間した配置されるディスペンサー３の吐出孔Ｏから霧状の内容物が吐出される。
【００４０】
係合止め具７は、ディスペンサー３と、把持部８とを連結する。係合止め具７と把持部８の係合状態を解除することで、把持部８を、ボトル部２及びディスペンサー３から取り外すことができる。
【００４１】
塗布ローラ６は、使用者の皮膚と接触する塗布回転体である。塗布ローラ６はジョイント部４，５によって、ディスペンサー３の吐出孔Ｏから離間して配置されており、ディスペンサー３からの噴射対象（吐出対象）となる。本例では塗布回転体の一例である、塗布ローラは、図２の矢印Ａ方向で示す軸方向が吐出孔Ｏから噴霧される内容物の吐出方向と略直角方向となるように配置されている。
【００４２】
そのため、塗布ローラ６は、ローラの軸方向Ａとは略垂直な方向に回転可能である。よって塗布ローラ６が使用者の皮膚と接触して使用される際、装置１を、ローラの軸方向とは略垂直な方向に移動させて、回転しているローラを軸方向とは略垂直な方向である図３の矢印Ｒ方向に肌表面上を、移動させる。
【００４３】
本発明の実施形態では、塗布ローラ６の表面に噴霧された内容物Ｌは、塗布ローラ６が回転することで使用者の肌に塗布される。
【００４４】
図１、図２の示す例では、塗布ローラの大きさは、例えば、直径２０ｍｍ、幅２０ｍｍである。また、そして、塗布ローラの円筒側面の表面がスポンジ等の弾性部材で構成されている。本例では塗布ローラを構成するスポンジ等の弾性部材の材料は、例えば、ウレタン（例えば、ルビーセル（登録商標））、ＮＢＲ（Nitrile  Butadiene  Rubber）ゴム、天然ゴム（ラテックス、例えばアクリルニトリルブタジエンラバー）、シリコーン、酢酸ビニール（ＰＶＡ）等で構成される。
【００４５】
さらに、塗布ローラを構成する弾性部材の例として、スポンジに代表される多孔質弾性体の他、不織布などの繊維の集合体（縫製パイル）、フロッキー加工物（ナイロン、レーヨン等を植毛したもの）、その他特殊加工したもの等である。
【００４６】
上記の構成により、肌に対して、適度にマッサージ効果を与えることができる。
【００４７】
また、塗布ローラ６の下側表面には、ディスペンサー３の吐出孔Ｏから霧状の内容物が吐出される。
【００４８】
把持部８は、使用者の手によって把持される部分であり、図１では、有底の略八角筒形状をしている。なお、把持部８の形状は、略円筒又は他の略多角筒形状であってもよい。さらに、略円筒又は略多角筒形状の把持部８において、使用者が持ちやすいように窪みや出っ張り等を設けてもよい。また、紛失防止用に、把持部８にストラップ孔を設けてもよい。
【００４９】
図１で示すように、蓋部１１及び把持部８が、略八角筒形状であるため、本例では、蓋部１１を締めた状態で、装置１全体で、略八角柱形状の構成となる。なお、本例は一例であって、装置１全体で、略円柱又は略多角柱形状をしていてもよい。
【００５０】
本構成において、使用時、非使用時ともに、ノズル部、及び第２のジョイント部の上側先端に塗布回転体は接触しない。そのため、使用する際に使用する分だけ、内容物を、塗布回転体に吐出すればよいため、塗布回転体に塗布される化粧料等の内容物の酸化による劣化を防ぐことができる。
【００５１】
また、図３に示すように、蓋部１１を外した状態で、塗布ローラ６を下に押すことで、ディスペンサー３の押し込み移動部３８の一部が固定部３９に入るように移動する。この動作により、ディスペンサー３は、内容物を加圧して霧状にして吐出し、塗布ローラ６に霧状の内容物Ｌを付着させる。
【００５２】
図４Ａ，図４Ｂは、ディスペンサー３の断面図であって、図４Ａは通常時、図４Ｂは押し込み時の状態を示す。
【００５３】
図４Ａ，図４Ｂに示すようにディスペンサー３の押し込み移動部３８の内部には、内部に軸孔ＳＨが形成された、上下方向に延伸するステム（円筒状基部）３８１が設けられている。そして、ステム３８１の内側には、上部ロッド３８２、ノズルチップ３８３、及び操作ロッド３８４が設けられ、操作ロッド３８４の内側の下部の一部には、ピストン３８５が設けられている。上部ロッド３８２は、軸孔ＳＨの下端から流入する液体の流速を高くしてノズルチップ３８３から霧状に噴出させることができる。
【００５４】
また、固定部３９の取り付けキャップの内部には、内側ガイド筒部３９１が形成されているため、取り付けキャップは、ベースキャップ３４と内側ガイド筒部３９１によって二重の環状起立部を有している。内側ガイド筒部３９１、操作ロッド３８４、及びピストン３８５はポンプ部ＰＰとして機能する。
【００５５】
押し込み移動部３８は、固定部３９に対して、押圧可能に弾性支持されている。図４Ｂのように押圧用鍔部３２が下方方向に作動すると、押し込み移動部３８の一部であるノズル側環状体３３は、固定部３９側のベースキャップ３４の内側に入り込む。ベースキャップ３４の外側の壁部は、押し込み移動部３８が下方に押し込まれる際に、押し込み移動部３８の下端の一部であるノズル側環状体３３が内側に進入する外側壁部になる。
【００５６】
また、押圧用鍔部３２が下方方向に作動して押し込み移動部３８を下に移動させることで、操作ロッド３８４及びピストン３８５が下降する際に、シリンダー３６内の内容物を、軸孔ＳＨに送り込んで、上部ロッド３８２を介して吐出孔Ｏから霧状に吐出させる。
【００５７】
そして、噴霧（吐出動作）が終了し、押圧用鍔部３２を下方方向に押し込む力がなくなると、不図示の弾性部材の弾性力により押し込み移動部３８が図４Ｂ⇒図４Ａの状態に戻り、この際に、ボトル部２内からシリンダー３６に所定量、内容物Ｌを吸い込む。
【００５８】
上記のディスペンサー３の構成により、ディスペンサー３から塗布ローラ６に噴射される液体に定量性を持たせることができる。例えば、図４Ａ⇒図４Ｂの動作での噴射量は例えば、５０μＬ、７０μＬ、１００μＬ…等であり、予め所定量を設定するのが好ましい。
【００５９】
ここで、本明細書において、霧状の吐出（噴霧）とは、液体を直径数１０μｍ以下の霧粒にして、その霧粒が噴出されて大気中に分散しながら移動している状態を指す。
【００６０】
なお、本発明の実施形態において、化粧料を霧状にして塗布ローラに噴霧しているが、吐出される液体は、霧状ではなく滴状、泡状であってもよい。
【００６１】
滴状の噴射とは、直径数１０μｍより大きく数ｍｍ程度の液粒が吐出されて大気中を略直線状に移動している状態を指す。滴状に吐出する場合よりも、霧状に吐出させる場合の方がノズル部３１における内容物（液体）の加圧量が大きい。
【００６２】
使用するディスペンサーに基づいて、噴射する液体の粒の大きさ（霧状又は滴状）は、予め設定される。あるいは、液体を噴射するノズル径やノズル内部構成等を調整可能にすることで、噴射される霧又は液滴の大きさを変えるような構成であってもよい。
【００６３】
また、泡状に吐出させる場合は、ディスペンサーの泡吐出ノズルは、ポンプのヘッド部分（吐出部）と液を吸い上げるパイプの間に小部屋が設けられ、ポンプのヘッド部を押し込むと、空気がこの小部屋の中で圧縮され、吸い上げた液に空気を混ぜ込み、泡状にして押し出すように構成されている。そして、泡吐出ノズルのポンプのパイプは通常のポンプボトルに比べて、空気圧を高める為により細い物が用いられ、滴状又は霧状に吐出する内容物よりも粘度が低い化粧料が収容される。泡状の液体を吐出する場合は、泡吐出用の専用のディスペンサーに基づいて、予め設定される。
【００６４】
図５は、第１実施形態の化粧料塗布装置１を使用している状態を示す図である。
【００６５】
本発明の実施形態は、片手で、手を汚さずに肌に化粧料を塗布し、塗布ローラによりマッサージをすることができる。また、塗布ローラ６が噴射されてから塗布ローラ６上では広げられずに塗布されるため、塗布ローラ６が接触する部分が、皮膚における化粧料等の内容物の塗布位置となり、使用者は接触により位置を把握することができる。そのため、顔面への化粧料の塗布であっても、鏡を用いずにマッサージができる。
【００６６】
上記により、テレビやＤＶＤ等を見ながらや、雑誌を読みながらの、自由な視線のマッサージ動作が可能になる。さらに本構成の噴射装置２，３は片手で操作可能なので、もう片方の手を用いて携帯電話で通話したりネットサーフィンを使用したり、食べ物をつまんだり等、他の動作を行いながら、噴射動作及び肌への塗布動作を実行できる。
【００６７】
図６は、第１実施形態の化粧料塗布装置で使用中に噴霧している状態を示す図である。
【００６８】
本実施形態の化粧料塗布装置は下方から上方の塗布ローラ６上に噴霧する形態である。そのため、例えば、肌にローラを転がして使用する際に、使用者が顎の下に塗布ローラ６を当てて、把持部８を上に移動させることで、塗布ローラ６が把持部８に対して近づき、ディスペンサー３において押し込み移動部３８の一部が固定部３９の中に入って噴霧機能が働き、塗布ローラ６に内容物が噴霧される。
【００６９】
このように、使用者は、塗布ローラ６に対して１アクションで内容物を噴霧して、その後も塗布ローラ６を移動させることにより内容物を塗り広げられるため、片手で広範囲の肌に対して化粧料を塗布しながらマッサージをすることができる。
【００７０】
本構成において、使用時、非使用時ともに、ノズル部の先端に塗布回転体は接触しない。そのため、使用する際に使用する分だけ、塗布回転体に吐出すればよいため、塗布回転体に塗布される化粧料の酸化による劣化を防ぐことができる。
【００７１】
また、非使用時は、ディスペンサー３は内部で気密性が確保されているため、蓋部１１を締めずに放置してもボトル部２内の内容物の揮発を防止することができる。
【００７２】
また、図６では通常の上吐出（上噴射）時の使用状態を示しているが、シリンダー３６の下端に正立・倒立兼用の専用アダプター（不図示）を設けることで、化粧料塗布装置１を傾けた状態や、逆さにした状態で、ディスペンサー３の向きに関わらず、塗布ローラ６の表面に噴霧できるように構成すると、より好適である。
【００７３】
図７は、第１実施形態の化粧料塗布装置１のボトル部２を交換する際の断面図を示す。
【００７４】
まず、係合止め具７を側面から押しながらひねることで、係合止め具７と把持部８との係合状態を解除する。そして、把持部８に対して、係合止め具７を持ち上げることで、ボトル部２、ディスペンサー３、及び係合止め具７に対して、把持部８が取り外される。
【００７５】
そして、ディスペンサー３に対してボトル部２を回転させることで、ボトル部２の雄ネジ２２とディスペンサー３のボトル係合用雌ネジ部３５との係合が解除され、ディスペンサー３に対して、ボトル部２が取り外される。ボトル部２を取り外し後、新たなボトル部を取りつけることで、ボトル部２を交換可能である。
【００７６】
本発明の実施形態では、内容物である液体を使い切っても、上記手順によりボトル部を交換する、あるいは、ボトル部を一旦外して液体を充填し、再び装着することで、化粧料塗布装置１のその他の部分を長く使用することが可能になる。
【００７７】
また、塗布ローラは、塗布ローラ６の第２のジョイント５のローラ保持部５３よりも外周部分の側面を、横方向から中央側に押し潰すように変形させることで第２のジョイント５から取り外し可能である。塗布ローラ６が第２のジョイント５から取り外し可能であることで、塗布ローラ６を別の種類の塗布回転体にも交換可能である。
【００７８】
塗布回転体の一例である塗布ローラを交換する際、同じ種類の塗布回転体に交換してもよいし、あるいは、違う種類の塗布回転体に交換してもよい。本発明の実施形態では、塗布回転体が汚れたり、消耗したりしても、塗布回転体を交換することで、化粧料塗布装置のその他の部分を長く使用することが可能になるとともに、違う種類に交換することで、化粧料塗布装置を、複数の用途に適用可能にする。
【００７９】
ここで、塗布回転体を、上述の図１〜図７に示す構成とは、違う種類に交換する例を図８Ａ〜図１０Ｂに示す。
【００８０】
＜塗布ローラの変形例１＞
図８Ａ，図８Ｂは、第１実施形態の化粧料塗布装置の塗布ローラの第１の変形例の説明図である。詳しくは、図８Ａは塗布ローラ６Ａ及び第２のジョイント５の断面図であり、図８Ｂは、図８Ａの矢印方向から見た矢視図を示す。図８Ａ，図８Ｂでは、塗布ローラ６Ａが硬質ローラ６１で構成される例を示す。
【００８１】
塗布ローラ６Ａの筒部である硬質ローラ６１は、例えば、ポリプロピレンやポリエチレンなどの熱可塑性樹脂や金属などで構成されている。
【００８２】
本構成の硬質ローラ６１の外周表面には、複数のスジ状突起６２が設けられている。スジ状突起６２は、図８Ａに示すように、円筒の幅方向に延伸しており、図８Ｂに示すように、円周方向に複数設けられている。
【００８３】
また、硬質ローラ６１表面の凹凸を形成する、スジ状突起６２は、高さＰｔは０．５ｍｍ、幅Ｐｗは１８ｍｍ程度であるスジ状突起６２の素材は、硬質ローラと同一であっても異なる素材であってもよい。
【００８４】
本変形例の構成の塗布ローラ６Ａは、塗布動作を行う際、肌への肌の奥にある筋肉までローラ表面の凹凸による刺激が到達するため、例えば、化粧料を塗布しつつ、コリの解消など、筋肉に刺激をするためのマッサージに用いる場合に、有効である。
【００８５】
なお、本例では硬質ローラには、表面にスジ状突起が設けられている例を示したが、例えば丸みを帯びた略円柱状の粒状の突起、あるいは半球状の突起が幅方向に配列されて、円周方向に複数設けられる構成であってもよい。
【００８６】
＜塗布ローラの変形例２＞
図９Ａ，図９Ｂは、第１実施形態の化粧料塗布装置の塗布ローラの第２の変形例の説明図である。詳しくは、図９Ａは塗布ローラ６Ｂ及び第２のジョイント５の断面図であり、図９Ｂは、図９Ａの矢印方向から見た矢視図を示す。図９Ａ，図９Ｂでは、塗布ローラ６Ｂは、軸部６４の表面に複数のパフ６３を設けたローラである例を示す。
【００８７】
なお、本例において、複数のパフとして、３つのパフが設けられている例を示しているが、軸部６４に直接１つのパフを巻きつけても良いし、複数のパフの数は、２つ又は４つ以上であってもよい。
【００８８】
このパフは、ゲル状の素材で構成されていてもよい。本構成例では、例えば使用時のパフに当たった感触が肌に触れているような柔らかな感触を得ることができ、また、スポンジのような多孔質体のように液体を含浸せずに使用できるので、洗浄等の必要性が低くなるという効果がある。
【００８９】
図８Ａ〜図９Ｂの塗布ローラの交換について、塗布ローラ部分のみの交換について説明したが、塗布回転体の種類を交換する際、塗布ローラを保持する第２のジョイント５も一緒に交換してもよい。
【００９０】
＜塗布回転体：変形例３＞
図１０Ａ，図１０Ｂは、第１実施形態の化粧料塗布装置の塗布回転体の第３の変形例の説明図である。詳しくは、図１０Ａは塗布回転体６Ｃ及び第２のジョイント５Ｃの断面図であり、図１０Ｂは、図１０Ａの矢印方向から見た矢視図を示す。図１０Ａ，図１０Ｂでは、塗布回転体６Ｃは球体である例を示している。
【００９１】
本実施形態の塗布回転体である塗布球体６５は、例えば、ポリプロピレンやポリエチレン、金属等で構成される。あるいは、塗布球体６５は肌と接触する表面部分はスポンジ等で球体を包むように構成されてもよい。
【００９２】
また、本実施形態の第２のジョイント５Ｃは、第１のジョイント４に嵌合され、塗布球体６５の下面が、吐出孔Ｏから離間するように塗布球体６５の下面及び上側縁部を保持する。詳しくは、第２のジョイント５Ｃは、雄ネジ部５１と、延伸部５２Ｃと、梁部５４Ｃと、ローラ抜け防止部５６と、ローラ載置部５７とを有している。
【００９３】
本実施形態において、塗布球体６５は、延伸部５２Ｃを外側に引っ張った状態で、梁部５４Ｃ上に設けられたローラ載置部５７に載置される。そして、延伸部５２Ｃを元の状態に戻すことで、ローラ抜け防止部５６が、塗布球体６５の一部が延伸部５２Ｃから飛び出るように、塗布球体６５の半分よりも上の部分の縁部を挟み込む。
【００９４】
このように、塗布回転体６Ｃが塗布球体６５であり、第２のジョイント５Ｃによって、上部の縁部の周辺を保持されるため、塗布球体６５の回転方向は制限されない。そのため、塗布球体６５の回転方向は自由自在なので、使用者は、本変形例が適用される化粧料塗布装置を肌表面において、自由な方向に移動させることができる。
【００９５】
しかし、本変形例の構成では、塗布の際に肌との接触の中央部に集中して力がかかり、面で均一に接する第１実施形態と比較して、位置あたりの接触面積は小さくなる。そのため、用途に応じて、適宜、塗布回転体の種類を選択して取り付けると好適である。
【００９６】
なお、上記の第１実施形態及び変形例１〜変形例３において第１のジョイント４と第２のジョイント５は別体で構成されているが、１パーツ構成で直接され押圧用鍔部３２に嵌合されていてもよい。
【００９７】
＜第２実施形態＞
図１１は、本発明の第２実施形態に係る化粧料塗布装置１Ｄの外観図である。図１２は、第２実施形態の変形例に係る化粧料塗布装置１Ｅの断面図である。
【００９８】
本実施形態では、ディスペンサー３０は、噴霧部として、上向きに噴出するノズル部の代わりに、内容物である液体を霧状にして、横向きに噴霧する押圧ヘッド部３１Ｅが設けられている。押圧ヘッド部３１Ｅは、側方（側端部）に吐出孔Ｐが形成されている。
【００９９】
本実施形態のディスペンサー３０は、押圧用鍔部３２は、押圧ヘッド部３１Ｅの下側から側方に突出している。押し込み移動部３８Ｅは、押圧用鍔部３２に下方の力が付勢されることで、下方移動自在に配設される。また、固定部３９Ｅは、押し込み移動部３８Ｅが下方に移動することで、ボトル部２に収容された内容物Ｌを所定量吸い込んで押圧ヘッド部３１Ｅへ送るポンプ機能を有する。
【０１００】
本実施形態では、さらに、ジョイント部として、第２のジョイント５０に連結され、軸を中心に枢動回転する回転ジョイント９（９Ｅ）を有する。
【０１０１】
また、本実施形態では、第２のジョイント５０の支持部である延伸部５２Ｅは、使用時の塗布ローラ６０に対向する部分が貫通孔５９として開口しており、第２のジョイント５０の上端部である頭部５８が押下されることで、第１のジョイント４を介して押圧用鍔部３２に下方の力がかかり、ディスペンサー３０の押し込み移動部３８Ｅは下方移動されるように配設されている。したがって、本実施形態では、使用者の指によって、第２のジョイント５０の頭部５８を押下することにより、塗布ローラ６０上に、霧状の内容物Ｌが噴出（吐出）される。
【０１０２】
なお、回転ジョイント９が図１１のように使用時に真上にくる構成の場合は、上端部である回転ジョイント９を押下することで、内容物を噴出させてもよい。
【０１０３】
そして、本実施形態では、ディスペンサー３０に対して、軸を中心に枢動可能な回転ジョイント９（９Ｅ）が設けられている。使用者は、使用の際は、塗布ローラ６０が側方に位置するように、回転ジョイント９（９Ｅ）を横向きにする。そして、非使用の際は、塗布ローラ６０が上方に位置するように、回転ジョイント９（９Ｅ）を上向きにする。
【０１０４】
したがって、本実施形態では、使用時のみ塗布ローラ６を側方に移動させ、塗布ローラ６０を上に移動可能であることで、非使用時はスペースのコンパクト化が可能である。
【０１０５】
本実施形態では、横向きの吐出（噴射）のため、例えば、使用者は、座った状態で顔の額や頬に押し当てながら、指で第２のジョイント５０の頭部５８を押すことで、噴霧ができる。そのため、塗布ローラ６０へ液体を追加する際に、使用者の皮膚に対する塗布ローラ６０の圧力を変化させずに、塗布ローラ６０へ塗布させることが出来、塗布することが目的な場合に、より繊細な肌ケアが可能になる。
【０１０６】
上記例では、液体を例として説明したが、本発明の美容用の化粧料塗布装置の収容部で収容可能な内容物（化粧料）Ｌは他の液体であってもよい。例えば、乳液、美容クリーム、マッサージ料、地肌用マッサージ剤、ダイエット用マッサージ剤、清涼剤、温暖剤、等でありうる。さらに、本発明に係る化粧料には、花粉吸着防止剤を含むものとする。
【０１０７】
また、上記例では、容器本体が有底形状のボトル部である例を示すが、容器本体はチューブ形状であってもよい。また上記例では、ボトル部２は吸引棒３７を有する一般的なボトルである例を示したが、容器本体はボトル内部に中底ピストンを設けることで、ボトル内部を真空状態にするエアレスボトルであってもよい。あるいは、容器本体は、ボトル内部に、外容器であるボトルに対して剥離可能に装着された可撓性を有する内袋を設けることで、内袋を真空状態にする二重構造のエアレスボトルであってもよい。
【０１０８】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【０１０９】
例えば、化粧料塗布装置１は必ずしも係合止め具７、把持部８、蓋部１１は必要ではなく、ボトル部２、ディスペンサー３、第１のジョイント４、第２のジョイント５、塗布ローラ（塗布回転体）６で構成されていてもよい。
【０１１０】
本出願は、２０１８年５月３１日に日本国特許庁に出願された特願２０１８−１０５４３９号に基づく優先権を主張するものであり、特願２０１８−１０５４３９号の全内容を本出願に援用する。
【符号の説明】
【０１１１】
１，１Ｄ，１Ｅ  化粧料塗布装置
２  ボトル部（容器本体、噴射装置）
３  ディスペンサー（噴射装置）
４  第１のジョイント（ジョイント部）
５，５Ｃ  第２のジョイント（ジョイント部）
６  塗布ローラ（塗布回転体）
６Ａ  塗布ローラ（塗布回転体）
６Ｂ  塗布ローラ（塗布回転体）
６Ｃ  塗布球体（塗布回転体）
７  係合止め具
８  把持部
９  回転ジョイント（ジョイント部）
１０  本体部
１１  蓋部
３０  ディスペンサー
３１  ノズル部（吐出部、噴射部）
３１Ｅ  押圧ヘッド部（吐出部、噴射部）
３２  押圧用鍔部
３３  ノズル側環状体
３４  ベースキャップ
３５  ボトル係合用雌ネジ部
３６  シリンダー
３７  吸引棒
３８  押し込み移動部
３８１  ステム
３８２  上部ロッド
３８３  ノズルチップ
３８４  操作ロッド（ポンプ部）
３８５  ピストン（ポンプ部）
３９  固定部
３９１  内側ガイド筒部（ポンプ部）
４１  押圧部
４２  雌ネジ部
５０  第２のジョイント（ジョイント部）
５１  雄ネジ部
５２，５２Ｅ  延伸部（支持部）
５３  ローラ保持部
５４，５４Ｃ，５４Ｅ  梁部（補強部）
５５  貫通孔
５６  ローラ抜け防止部
５７  ローラ載置部
５８  頭部
５９  貫通孔
６０  塗布ローラ
Ｌ  内容物（液体、化粧料）
【図１】
2019230529.tif 000003
【図２】
2019230529.tif 000004
【図３】
2019230529.tif 000005
【図４Ａ】
2019230529.tif 000006
【図４Ｂ】
2019230529.tif 000007
【図５】
2019230529.tif 000008
【図６】
2019230529.tif 000009
【図７】
2019230529.tif 000010
【図８Ａ】
2019230529.tif 000011
【図８Ｂ】
2019230529.tif 000012
【図９Ａ】
2019230529.tif 000013
【図９Ｂ】
2019230529.tif 000014
【図１０Ａ】
2019230529.tif 000015
【図１０Ｂ】
2019230529.tif 000016
【図１１】
2019230529.tif 000017
【図１２】
2019230529.tif 000018
【国際調査報告】
2019230529.tif 000019
2019230529.tif 000020
2019230529.tif 000021
2019230529.tif 000022